(57)【要約】      （修正有）【課題】電磁クラッチによって２方向クラッチの係合および係合解除を制御する回転伝達装置の信頼性を高めることである。【解決手段】電磁クラッチ５０により係合および係合解除が制御される２方向クラッチ１０が、アーマチュア５１に連結された制御保持器１６Ａおよび回転保持器１６Ｂを有し、その制御保持器１６Ａの軸方向への移動に伴ない制御保持器１６Ａと回転保持器１６Ｂを相対回転させて、一対のローラ１５を出力軸２の軸端部に設けられた外輪１１の内周および入力軸１の軸端部に設けられた内輪１３の外周に対して係合解除される構成とする。アーマチュア５１の外周部に形成された連結筒５４を制御保持器１６Ａの筒部２７に圧入し、その圧入しろの管理により、ロータ５２とアーマチュア５１の対向面間に形成される軸方向すきま５５のすきま量δを管理して、電磁石５３に対する通電によりアーマチュア５１がロータ５２に確実に吸着されるようにする。【選択図】図２
2013174345.tif 000002
【特許請求の範囲】
【請求項１】
入力軸と、その入力軸と同軸上に配置された出力軸の相互間において回転の伝達と遮断とを行なう２方向クラッチおよびその２方向クラッチの係合および解除を制御する電磁クラッチを有し、
前記２方向クラッチが、前記出力軸の軸端部に設けられた外輪の内周と前記入力軸の軸端部に設けられた内輪の外周間に、制御保持器および回転保持器のそれぞれに設けられた柱部が周方向に交互に配置されるよう組込み、隣接する柱部間に形成されたポケット内に前記外輪の内周および内輪の外周に対して係合可能な一対の係合子と、その一対の係合子を離反する方向に付勢する弾性部材とを組込んだ構成とされ、
前記電磁クラッチが、前記制御保持器に連結されたアーマチュアにロータを軸方向で対向し、そのロータに電磁石を対向し、その電磁石に対する通電によりアーマチュアに磁気吸引力を付与してロータに吸着させる構成とされ、
前記電磁石への通電により制御保持器を軸方向に移動させ、その移動により制御保持器と回転保持器をポケットの周方向幅が小さくなる方向に相対回転させて一対の係合子を外輪の内周および内輪の外周に対して係合解除させるようにした回転伝達装置において、
前記ロータと待機位置に位置するアーマチュアの対向面間に形成される軸方向すきまのすきま量を、前記電磁石に対する通電により、その電磁石が２方向クラッチにおける前記弾性部材の弾性力に抗してアーマチュアを吸引可能とする大きさに管理したことを特徴とする回転伝達装置。
【請求項２】
前記ロータとアーマチュアの対向面間に形成される軸方向すきまのすきま量の管理が、前記アーマチュアの外周部に設けられた連結筒を前記制御保持器に設けられた筒部に対する圧入量の管理による請求項１に記載の回転伝達装置。
【請求項３】
前記ロータと入力軸の外周に形成されたロータ位置決め用の段部間に、前記アーマチュアを移動自在に支持する断面矩形の支持リングを組み込み、その支持リングの前記ロータと対向する一側面の内周部に、前記軸方向すきまのすきま量に対応する突出高さの環状突出部を設け、その環状突出部で前記ロータを軸方向に位置決めし、その支持リングの一側面と前記アーマチュアの一側面が同一面を形成する位置まで連結筒を前記筒部に圧入して、ロータとアーマチュアの対向面間に形成される軸方向すきまのすきま量の管理とした請求項２に記載の回転伝達装置。
【請求項４】
前記ロータと入力軸の外周に形成されたロータ位置決め用の段部間に、前記アーマチュアを移動自在に支持し、かつ、前記ロータを軸方向に位置決めする断面矩形の支持リングを嵌合し、前記アーマチュアを軸方向に押圧する押圧面の外周部に前記軸方向すきまのすきま量に対応する突出高さの環状突出部を有する圧入冶具が前記支持リングのロータ対向面で受け止められる位置までその圧入冶具でアーマチュアを軸方向に押し込むことにより連結筒を前記筒部に圧入して、ロータとアーマチュアの対向面間に形成される軸方向すきまのすきま量の管理とした請求項２に記載の回転伝達装置。
【請求項５】
前記２方向クラッチが、係合子をローラとするローラタイプのものからなる請求項１乃至４のいずれか１項に記載の回転伝達装置。
【請求項６】
前記２方向クラッチが、係合子をスプラグとするスプラグタイプのものからなる請求項１乃至４のいずれか１項に記載の回転伝達装置。
【発明の詳細な説明】
【技術分野】
【０００１】
この発明は、回転の伝達と遮断の切換えを行なうことができるようにした回転伝達装置に関する。
【背景技術】
【０００２】
駆動軸から従動軸への回転の伝達と遮断とを行う回転伝達装置として、２方向クラッチを有し、その２方向クラッチの係合および解除を電磁クラッチにより制御するようにしたものが従来から知られている。
【０００３】
特許文献１に記載された回転伝達装置においては、外輪とその内側に組み込まれた内輪との間に制御保持器と回転保持器とを、各保持器に形成された柱部が周方向で交互に配置されるよう組込み、隣接する柱部間に形成されたポケット内に対向一対のローラを組込み、その一対のローラを、その対向部間に組み込まれた弾性部材で離反する方向に付勢して、外輪の内周に形成された円筒面と内輪の外周に形成されたカム面に係合する位置にスタンバイさせ、上記内輪の一方向への回転により一方のローラを円筒面およびカム面に係合させ、内輪の回転を外輪に伝達するようにしている。
【０００４】
また、内輪が設けられた入力軸上に電磁クラッチを設け、その電磁クラッチの電磁石に対する通電により制御保持器を軸方向に移動させ、その制御保持器のフランジと回転保持器のフランジの対向面間に設けられた運動変換機構としてのトルクカムの作用によりポケットの周方向幅が小さくなる方向に制御保持器と回転保持器とを相対回転させ、各保持器の柱部で一対のローラを係合解除位置まで移動させて、内輪から外輪への回転伝達を遮断するようにしている。
【０００５】
上記回転伝達装置においては、電磁クラッチの電磁石に対する通電を解除すると、対向一対のローラ間に組み込まれた弾性部材の押圧作用により制御保持器と回転保持器とがポケットの周方向幅が大きくなる方向に相対回転して対向一対のローラが円筒面およびカム面に直ちに係合するため、回転方向ガタがきわめて小さく、応答性に優れているという特徴を有している。
【先行技術文献】
【特許文献】
【０００６】
【特許文献１】特開２００９−２９３６７９号公報
【発明の概要】
【発明が解決しようとする課題】
【０００７】
ところで、上記特許文献１に記載された回転伝達装置においては、電磁クラッチが、制御保持器に連結されたアーマチュアと、そのアーマチュアと軸方向で対向するロータと、そのロータと軸方向で対向する電磁石とで形成され、その電磁石の電磁コイルに対する通電により、ロータにアーマチュアを吸引して、制御保持器を軸方向に移動させるようにしているが、ロータとアーマチュアの対向面間に形成される軸方向すきまのすきま量は、弾性部材の弾性力を考慮することなく管理していたため、電磁石に通電してもアーマチュアが吸着されない場合があり、その不完全な吸着によって２方向クラッチを制御することができず、その信頼性を高める上において改善すべき点が残されていた。
【０００８】
この発明の課題は、電磁クラッチによって２方向クラッチの係合および係合解除を制御する回転伝達装置の信頼性を高めることである。
【課題を解決するための手段】
【０００９】
上記の課題を解決するため、この発明においては、入力軸と、その入力軸と同軸上に配置された出力軸の相互間において回転の伝達と遮断とを行なう２方向クラッチおよびその２方向クラッチの係合および解除を制御する電磁クラッチを有し、前記２方向クラッチが、前記出力軸の軸端部に設けられた外輪の内周と前記入力軸の軸端部に設けられた内輪の外周間に、制御保持器および回転保持器のそれぞれに設けられた柱部が周方向に交互に配置されるよう組込み、隣接する柱部間に形成されたポケット内に前記外輪の内周および内輪の外周に対して係合可能な一対の係合子と、その一対の係合子を離反する方向に付勢する弾性部材とを組込んだ構成とされ、前記電磁クラッチが、前記制御保持器に連結されたアーマチュアにロータを軸方向で対向し、そのロータに電磁石を対向し、その電磁石に対する通電によりアーマチュアに磁気吸引力を付与してロータに吸着させる構成とされ、前記電磁石への通電により制御保持器を軸方向に移動させ、その移動により制御保持器と回転保持器をポケットの周方向幅が小さくなる方向に相対回転させて一対の係合子を外輪の内周および内輪の外周に対して係合解除させるようにした回転伝達装置において、前記ロータと待機位置に位置するアーマチュアの対向面間に形成される軸方向すきまのすきま量を、前記電磁石に対する通電により、その電磁石が２方向クラッチにおける前記弾性部材の弾性力に抗してアーマチュアを吸引可能とする大きさに管理した構成を採用したのである。
【００１０】
上記のように、ロータとアーマチュアの対向面間に形成される軸方向すきまのすきま量を、電磁石に対する通電により、その電磁石が２方向クラッチにおける弾性部材の弾性力に抗してアーマチュアを吸引可能とする大きさに管理することによって、電磁石に対する通電によりアーマチュアを確実に吸引することができ、電磁クラッチによって２方向クラッチを確実に制御することができる。
【００１１】
ここで、制御保持器に設けられた筒部にアーマチュアの外周部に設けられた連結筒を圧入し、その圧入量を管理することによって、ロータとアーマチュア間に形成される軸方向すきまのすきま量を管理することができる。この場合、ロータと入力軸の外周に形成されたロータ位置決め用の段部間に、アーマチュアを移動自在に支持する断面矩形の支持リングを組み込み、その支持リングのロータと対向する一側面の内周部に、前記軸方向すきまのすきま量に対応する突出高さの環状突出部を設け、その環状突出部で前記ロータを軸方向に位置決めし、その支持リングの一側面と前記アーマチュアの一側面が同一面を形成する位置まで連結筒を制御保持器の筒部に圧入して、ロータとアーマチュアの対向面間に形成される軸方向すきまのすきま量の管理とすることにより、軸方向すきま量を容易に管理することができる。
【００１２】
また、ロータと入力軸の外周に形成されたロータ位置決め用の段部間に、アーマチュアを移動自在に支持し、かつ、ロータを軸方向に位置決めする断面矩形の支持リングを嵌合し、前記アーマチュアを軸方向に押圧する押圧面の外周部に前記軸方向すきまのすきま量に対応する突出高さの環状突出部を有する圧入冶具が上記支持リングのロータ対向面で受け止められる位置までその圧入冶具でアーマチュアを軸方向に押し込むことにより連結筒を前記筒部に圧入して、ロータとアーマチュアの対向面間に形成される軸方向すきまのすきま量の管理とすることにより、この場合においても、軸方向すきま量を容易に管理することができる。
【００１３】
この発明に係る回転伝達装置において、２方向クラッチは、係合子をローラとするローラタイプのものであってもよく、あるいは、係合子をスプラグとするスプラグタイプのものであってもよい。
【発明の効果】
【００１４】
この発明においては、上記のように、ロータと待機位置に位置するアーマチュアの対向面間に形成される軸方向すきまのすきま量を、電磁石の電磁コイルに対する通電により、その電磁石が２方向クラッチにおける弾性部材の弾性力に抗してアーマチュアを吸引可能とする大きさに管理したことにより、２方向クラッチの係合および解除を電磁クラッチによって確実に制御することができ、信頼性の高い回転伝達装置を得ることができる。
【図面の簡単な説明】
【００１５】
【図１】この発明に係る回転伝達装置の実施の形態を示す縦断面図
【図２】図１の一部を拡大して示す断面図
【図３】図１のIII−III線に沿った断面図
【図４】図１のIV−IV線に沿った断面図
【図５】図４のV−V線に沿った断面図
【図６】図１のVI−VI線に沿った断面図
【図７】（ａ）は、図６のVII−VII線に沿った断面図、(ｂ)は、作動状態を示す断面図
【図８】アーマチュアとロータ間に形成する軸方向すきまの管理手段の他の例示す断面図
【図９】２方向クラッチの他の例を示す断面図
【発明を実施するための形態】
【００１６】
以下、この発明の実施の形態を図面に基づいて説明する。図１は、この発明に係る回転伝達装置の実施の形態を示す。図示のように、回転伝達装置は、入力軸１と、その入力軸１と同軸上に配置された出力軸２と、その両軸の軸端部を覆うハウジング３と、そのハウジング３内に組み込まれて入力軸１から出力軸２への回転の伝達と遮断とを行なう２方向クラッチ１０およびその２方向クラッチ１０の係合、解除を制御する電磁クラッチ５０とからなる。
【００１７】
図１乃至図３に示すように、２方向クラッチ１０は、出力軸２の軸端部に設けられた外輪１１の内周に円筒面１２を設け、入力軸１の軸端部に設けられた内輪１３の外周に複数のカム面１４を周方向に等間隔に形成し、その複数のカム面１４のそれぞれと円筒面１２間に一対の係合子としてのローラ１５と弾性部材２１とを組込み、そのローラ１５を保持器１６で保持し、上記内輪１３の一方向への回転により一対のローラ１５の一方を円筒面１２およびカム面１４に係合させて内輪１３の回転を外輪１１に伝達し、また、内輪１３の他方向への回転時に他方のローラ１５を円筒面１２およびカム面１４に係合させて内輪１３の回転を外輪１１に伝達するようにしている。
【００１８】
ハウジング３は円筒状をなし、その一端部には小径の軸受筒４が設けられている。軸受筒４の内周には位置決めリング５が設けられ、その位置決めリング５からインナー側に出力軸２を回転自在に支持する軸受６が組み込まれ、その軸受６と位置決めリング５間に弾性部材７が組み込まれている。
【００１９】
弾性部材７は、２方向クラッチ１０およびその２方向クラッチ１０の係合、解除を制御する電磁クラッチ５０をハウジング３の他端開口部の内周に取付けられた止め輪からなる抜止めリング８に向けて付勢して、電磁クラッチ５０を抜止めリング８に押し付けている。このため、ハウジング３内に組込まれた２方向クラッチ１０と電磁クラッチ５０からなる内蔵部品は、ガタツキのない組込みとされている。
【００２０】
図１に示すように、外輪１１には、閉塞端部の内面側に小径の凹部１８が形成され、その凹部１８内に組み込まれた軸受１９によって入力軸１の軸端部が回転自在に支持されている。
【００２１】
図１では、入力軸１の軸端部に内輪１３を一体に設けた例を示しているが、入力軸１に対して内輪１３を別体とし、その内輪１３の内側に入力軸１の軸端部を嵌合し、その嵌合面間に形成されたセレーションにより内輪１３と入力軸１とを連結一体化してもよい。
【００２２】
図３に示すように、内輪１３の外周に形成されたカム面１４は、相反する方向に傾斜する一対の傾斜面１４ａ、１４ｂから形成されて外輪１１の円筒面１２との間に周方向の両端が狭小のくさび形空間を形成しており、上記一対の傾斜面１４ａ、１４ｂ間には内輪１３の接線方向に向く平坦なばね支持面２０が設けられ、そのばね支持面２０によって弾性部材２１が支持されている。
【００２３】
弾性部材２１は、上記支持面２０で支持されるようにして一対のローラ１５間に組込まれ、その弾性部材２１により一対のローラ１５は離反する方向に付勢されている。
【００２４】
図１および図２に示すように、保持器１６は、制御保持器１６Ａと、回転保持器１６Ｂとからなる。図１および図６に示すように、制御保持器１６Ａは、環状のフランジ２４の片面外周部にカム面１４と同数の柱部２５を周方向に等間隔に設け、その隣接する柱部２５間に円弧状の長孔２６を形成し、フランジ外周には柱部２５と反対向きに筒部２７を設けた構成とされている。
【００２５】
一方、回転保持器１６Ｂは、環状のフランジ２８の外周にカム面１４と同数の柱部２９を周方向に等間隔に設けた構成とされている。
【００２６】
制御保持器１６Ａと回転保持器１６Ｂは、制御保持器１６Ａの長孔２６内に回転保持器１６Ｂの柱部２９が挿入されて、その柱部２５、２９が周方向に交互に並ぶ組み合わせとされている。そして、その組み合わせ状態で柱部２５、２９の先端部が外輪１１と内輪１３間に配置され、制御保持器１６Ａのフランジ２４および回転保持器１６Ｂのフランジ２８が入力軸１の外周に嵌合された支持リング３０と外輪１１間に位置する組込みとされている。
【００２７】
上記のような保持器１６Ａ、１６Ｂの組込みによって、図３に示すように、制御保持器１６Ａの柱部２５と回転保持器１６Ｂの柱部２９間にポケット３１が形成され、そのポケット３１は内輪１３のカム面１４と径方向で対向し、各ポケット３１内に対向一対のローラ１５および弾性部材２１が組込まれている。
【００２８】
図２に示すように、制御保持器１６Ａのフランジ２４および回転保持器１６Ｂのフランジ２８は入力軸１の外周に形成されたスライド案内面３２に沿ってスライド自在に支持され、上記回転保持器１６Ｂのフランジ２８と入力軸１に嵌合された支持リング３０間にスラスト軸受３３が組み込まれている。
【００２９】
図１、図５および図７(ｂ)に示すように、制御保持器１６Ａのフランジ２４と回転保持器１６Ｂのフランジ２８間には、制御保持器１６Ａの軸方向の移動を回転保持器１６Ｂの回転運動に変換する運動変換機構としてのトルクカム４０が設けられている。トルクカム４０は、制御保持器１６Ａのフランジ２４と回転保持器１６Ｂのフランジ２８の対向面それぞれに周方向の中央部で深く両端に至るに従って次第に浅くなる対向一対のカム溝４１、４２を設け、一方のカム溝４１の一端部と他方のカム溝４２の他端部間にボール４３を組み込んだ構成としている。
【００３０】
カム溝４１、４２として、ここでは円弧状の溝を示したが、Ｖ溝であってもよい。
【００３１】
上記トルクカム４０は、制御保持器１６Ａのフランジ２４が回転保持器１６Ｂのフランジ２８に接近する方向に制御保持器１６Ａが軸方向に移動した際に、図７（ａ）に示すように、ボール４３がカム溝４１、４２の溝深さの最も深い位置に向けて転がり移動し、制御保持器１６Ａと回転保持器１６Ｂをポケット３１の周方向幅が小さくなる方向に相対回転させるようになっている。
【００３２】
図２および図５に示すように、内輪１３に形成されたカム面１４の軸方向他側には小径の円筒面４５が形成され、その円筒面４５に環状の保持プレート４６が嵌合されて内輪１３に固定されている。図４および図５に示すように、保持プレート４６の外周面には、制御保持器１６Ａの柱部２５と回転保持器１６Ｂの柱部２９間の各ポケット３１内に配置される複数の回り止め片４７が形成されている。
【００３３】
複数の回り止め片４７は、制御保持器１６Ａと回転保持器１６Ｂとがポケット３１の周方向幅を縮小する方向に相対回転した際に、制御保持器１６Ａの柱部２５および回転保持器１６Ｂの柱部２９を両側縁で受け止めて対向一対のローラ１５を中立位置に保持するようになっている。
【００３４】
保持プレート４６の外周部には複数の弾性部材２１のそれぞれ外径側に張り出すばね押えアーム４８が設けられ、そのばね押えアーム４８によって弾性部材２１は一対のローラ１５間より外径側に逃げ出るのが防止されている。
【００３５】
図２に示すように、電磁クラッチ５０は、制御保持器１６Ａに形成された筒部２７の端面と軸方向で対向するアーマチュア５１と、そのアーマチュア５１と軸方向で対向するロータ５２と、そのロータ５２と軸方向で対向する電磁石５３とを有している。
【００３６】
アーマチュア５１は、支持リング３０の外周に嵌合されて回転自在に、かつ、スライド自在に支持され、そのアーマチュア５１の外周部に設けられた連結筒５４が制御保持器１６Ａの筒部２７に圧入されて制御保持器１６Ａとアーマチュア５１が連結一体化されている。その連結によってアーマチュア５１は、支持リング３０の円筒状外径面３５と入力軸１の外周のスライド案内面３２の軸方向の２箇所においてスライド自在の支持とされている。
【００３７】
ロータ５２は、入力軸１に圧入され、その入力軸１に嵌合された前述の支持リング３０によって位置決めされている。
【００３８】
ここで、支持リング３０は、断面が矩形とされ、入力軸１におけるスライド案内面３２の軸方向他側に形成された段部３４によって軸方向に位置決めされている。また、支持リング３０には、ロータ５２と対向する一側面の内周部に、ロータ５２が衝合される環状突出部３６が形成され、その環状突出部３６によってロータ５２を軸方向に位置決めしている。
【００３９】
ロータ５２とアーマチュア５１の対向面間には軸方向すきま５５が形成されている。軸方向すきま５５のすきま量δは、電磁石５３に対する通電により、その電磁石５３が２方向クラッチ１０における弾性部材２１の弾性力に抗してアーマチュア５１を吸引可能とする大きさに管理されている。
【００４０】
また、軸方向すきま５５は、制御保持器１６Ａの筒部２７に圧入される連結筒５４の圧入しろの管理によって、そのすきま量δが管理されており、図２では、支持リング３０の一側面とアーマチュア５１の一側面が同一面を形成する位置まで筒部２７に連結筒５４を圧入して、環状突出部３６の突出高さｈ１に相当する大きさの軸方向すきま５５を形成するようにしており、その軸方向すきま５５のすきま量δは、１ｍｍ程度の大きさとされている。
【００４１】
支持リング３０は、非磁性体から形成されている。非磁性体は、非磁性金属であってもよく、樹脂であってもよい。
【００４２】
図１および図２に示すように、電磁石５３は、電磁コイル５３ａと、その電磁コイル５３ａを支持するコア５３ｂとからなり、上記コア５３ｂの外側端面には筒部５７が形成され、その筒部５７内に組み込まれた軸受５８は、筒部５７の内周に取付けられた止め輪５９によって筒部５７から抜け出るのが防止されている。また、軸受５８は、入力軸１の外径面に形成された段部６０と上記止め輪５９によって軸方向に位置決めされ、その軸受５８によって電磁石５３と入力軸１は相対的に回転自在とされている。
【００４３】
実施の形態で示す回転伝達装置は上記の構造からなり、図１は、電磁石５３の電磁コイル５３ａに対する通電の遮断状態を示し、アーマチュア５１はロータ５２から離反し、その対向面間に軸方向すきま５５が形成されている。また、２方向クラッチ１０の対向一対のローラ１５は、図３に示すように、外輪１１の円筒面１２および内輪１３のカム面１４に対して係合するスタンバイ位置に位置している。
【００４４】
２方向クラッチ１０のスタンバイ状態において、電磁コイル５３ａに通電すると、アーマチュア５１に吸引力が作用し、アーマチュア５１が軸方向に移動してロータ５２に吸着される。
【００４５】
ここで、アーマチュア５１は制御保持器１６Ａに連結一体化されているため、アーマチュア５１の軸方向への移動に伴って制御保持器１６Ａは、そのフランジ２４が回転保持器１６Ｂのフランジ２８に接近する方向に移動する。
【００４６】
このとき、図７（ｂ）に示すボール４３が、図７(ａ)に示すように、カム溝４１、４２の溝深さの最も深い位置に向けて転がり移動し、制御保持器１６Ａと回転保持器１６Ｂは、図３に示す弾性部材２１の弾性力に抗してポケット３１の周方向幅が小さくなる方向に相対回転し、図３に示す対向一対のローラ１５が制御保持器１６Ａの柱部２５と回転保持器１６Ｂの柱部２９で押されて互いに接近する方向に移動する。このため、ローラ１５は円筒面１２およびカム面１４から係合解除して中立状態となり、２方向クラッチ１０は係合解除状態とされる。
【００４７】
２方向クラッチ１０の係合解除状態において、入力軸１に回転トルクを入力して内輪１３を一方向に回転すると、図４に示す保持プレート４６に形成された回り止め片４７が制御保持器１６Ａの柱部２５と回転保持器１６Ｂの柱部２９の一方を押圧するため、内輪１３と共に制御保持器１６Ａおよび回転保持器１６Ｂが回転する。このとき、対向一対のローラ１５は係合解除された中立位置に保持されているため、内輪１３の回転は外輪１１に伝達されず、内輪１３はフリー回転する。
【００４８】
内輪１３のフリー回転状態において、電磁コイル５３ａに対する通電を解除すると、アーマチュア５１は吸着が解除されて回転自在となる。その吸着解除により、弾性部材２１の押圧によって制御保持器１６Ａと回転保持器１６Ｂがポケット３１の周方向幅が大きくなる方向に相対回転し、対向一対のローラ１５のそれぞれが、図３に示すように、円筒面１２およびカム面１４に係合するスタンバイ状態とされ、その対向一対のローラ１５の一方を介して内輪１３と外輪１１の相互間で一方向の回転トルクが伝達される。
【００４９】
ここで、入力軸１を停止して、その入力軸１の回転方向を切換えると、他方のローラ１５を介して内輪１３の回転が外輪１１に伝達される。
【００５０】
このように、電磁コイル５３ａに対する通電の遮断により、制御保持器１６Ａと回転保持器１６Ｂがポケット３１の周方向幅が大きくなる方向に相対回転して、対向一対のローラ１５のそれぞれが円筒面１２およびカム面１４に直ちに噛み込むスタンバイ状態とされるため、回転方向ガタは小さく、内輪１３の回転を外輪１１に直ちに伝達することができる。
【００５１】
また、内輪１３から外輪１１への回転トルクの伝達は、カム面１４と同数のローラ１５を介して行われるため、内輪１３から外輪１１に大きな回転トルクを伝達することができる。
【００５２】
なお、制御保持器１６Ａと回転保持器１６Ｂがポケット３１の周方向幅が大きくなる方向に相対回転すると、ボール４３は対向一対のカム溝４１、４２の浅溝部に向けて転がり移動して、図７（ｂ）に示す状態となる。
【００５３】
図１に示す実施の形態では、制御保持器１６Ａおよび回転保持器１６Ｂを、その柱部２５、２９が外輪１１と内輪１３間に位置し、軸方向で対向するフランジ２４，２８が外輪１１とアーマチュア５１間に配置される組込みとしているため、外輪１１の軸方向長さのコンパクト化と軽量化とを図ることができる。
【００５４】
また、図２に示すように、支持リング３０のロータ５２と対向する一側面の内周部に、軸方向すきま５５のすきま量δに対応する突出高さｈ１の環状突出部３６を設け、その環状突出部３６でロータ５２を軸方向に位置決めし、その支持リング３０の一側面とアーマチュア５１の一側面が同一面を形成する位置まで連結筒５４を制御保持器１６Ａの筒部２７に圧入して、ロータ５２とアーマチュア５１の対向面間に形成される軸方向すきま５５のすきま量δを管理することにより、軸方向すきま５５のすきま量δを容易に管理することができる。
【００５５】
ここで、環状突出部３６は、外周形状を円形とし、あるいは、角形とするものであってもよく、いずれの場合も、アーマチュア５１の内径より小径としておく。また、環状突出部３６は、同図に示すように、支持リング３０と一体であってもよく、別体でもよい。別体とする場合、リング材やシム材を採用することができ、その材質は、樹脂であってもよく、金属であってもよい。
【００５６】
図８は、軸方向すきま５５を管理する管理手段の他の例を示す。この例においては、ロータ位置決め用の支持リング３０を断面矩形としている。そして、アーマチュア５１を軸方向に押圧する圧入冶具Ｔの押圧面外周部に軸方向すきま５５に対応する突出高さｈ２の環状突出部６１を形成し、その圧入冶具Ｔが支持リング３０のロータ位置決め面で受け止められる位置までその圧入冶具Ｔでアーマチュア５１を軸方向に押し込んで筒部２７に連結筒５４を圧入し、ロータ５２とアーマチュア５１の対向面間に形成される軸方向すきま５５のすきま量δを管理するようにしている。この場合においても、軸方向すきま５５のすきま量δを容易に管理することができる。
【００５７】
なお、実施の形態では、軸方向すきま５５を圧入しろにて管理する方法を示したが、シムの組込みにより管理する方法でもよい。
【００５８】
図１乃至図３に示す実施の形態においては、２方向クラッチ１０として、電磁石５３に対する通電により制御保持器１６Ａを軸方向に移動させて、その制御保持器１６Ａと回転保持器１６Ｂを相対回転させ、係合子としてのローラ１５を外輪１１の内周と内輪１３の外周に係合させるようにしたローラタイプのものを示したが、２方向クラッチはこれに限定されるものではない。
【００５９】
例えば、図９に示すように、径の異なる一対の保持器Ｃ１、Ｃ２を内外に配置し、径の大きな外側保持器Ｃ２を、図１乃至図３に示す実施の形態と同様に、制御保持器１６Ａと回転保持器１６Ｂとで形成し、上記制御保持器１６Ａの柱部２５と回転保持器１６Ｂの柱部２９間に形成されたポケット３１内に一対の係合子としてのスプラグ３７と、その一対のスプラグ３７間に弾性部材３８とを組込み、上記一対のスプラグ３７のそれぞれ内端部を小径側保持器Ｃ１に形成されたポケット３９内に挿入して、その内端部を中心に揺動自在に支持したスプラグタイプのものであってもよい。
【００６０】
上記スプラグタイプの２方向クラッチ１０においては、電磁クラッチ５０の電磁石５３に対する通電を解除すると、一対のスプラグ３７が弾性部材３８の押圧により外端部が離反する方向に揺動して外輪１１の内周円筒面１２と内輪１３の外周円筒面１３ａに係合し、また、電磁石５３に通電し、制御保持器１６Ａの軸方向への移動により、その制御保持器１６Ａと回転保持器１６Ｂを相対回転させると、一対のスプラグ３７の外端部が各保持器の柱部２５、２９で押圧されて外端部が近接する方向に揺動し、外輪１１の内周円筒面１２および内輪１３の外周円筒面１３ａに対して係合解除するようになっている。
【符号の説明】
【００６１】
１      入力軸
２      出力軸
３      ハウジング
１０    ２方向クラッチ
１１    外輪
１３    内輪
１５    ローラ（係合子）
１６Ａ  制御保持器
１６Ｂ  回転保持器
２１    弾性部材
２４    フランジ
２５    柱部
２７    筒部
２９    柱部
３０    支持リング
３１    ポケット
３６    環状突出部
３７    スプラグ
３８    弾性部材
５０    電磁クラッチ
５１    アーマチュア
５２    ロータ
５３    電磁石
５４    連結筒
５５    軸方向すきま
Ｔ      圧入冶具
６１    環状突出部
【図１】
2013174345.tif 000003
【図２】
2013174345.tif 000004
【図３】
2013174345.tif 000005
【図４】
2013174345.tif 000006
【図５】
2013174345.tif 000007
【図６】
2013174345.tif 000008
【図７】
2013174345.tif 000009
【図８】
2013174345.tif 000010
【図９】
2013174345.tif 000011